(57)【要約】【課題】手術内容の確認を容易にする手術データ記録装置を提供する。【解決手段】手術データ記録装置２２は、手術データを、所定の時間に関連付けて記録装置２２ａに記録する。さらに、手術データ記録装置２２は、所定のイベントの発生に応じて、所定の時間に関連付けてイベントデータを記録する。【選択図】図２
2006223375.tif 000002
【特許請求の範囲】
【請求項１】
手術データ記録装置であって、
手術データを、所定の時間に関連付けて記録装置に記録する手術データ記録手段と、
所定のイベントの発生に応じて、前記所定の時間に関連付けてイベントデータを記録するイベントデータ記録手段と、
を有することを特徴とする手術データ記録装置。
【請求項２】
前記イベントデータは、前記所定のイベントの内容を示すデータであることを特徴とする請求項１に記載の手術データ記録装置。
【請求項３】
前記所定のイベントは、音声記録、手術関連機器出力、医療機器操作、及び器具種類データ入力の少なくとも１つを含むことを特徴とする請求項１又は請求項２に記載の手術データ記録装置。
【請求項４】
手術データ表示装置であって、
所定の時間に関連付けて記録された手術データを、時間の経過に沿って表示装置に表示する手術データ表示手段と、
所定のイベントの発生に応じて前記所定の時間データに関連付けて記録されたイベントデータの存在を示すイベントマークを、前記時間の経過と合わせて前記表示装置に表示するイベントマーク表示手段と、
を有することを特徴とする手術データ表示装置。
【請求項５】
前記イベントデータは、前記所定のイベントの内容を示すデータを含み、
前記イベントマークは、前記所定のイベントの内容に応じたマークであることを特徴とする請求項４に記載の手術データ表示装置。
【請求項６】
前記所定のイベントの内容は、音声記録、手術関連機器出力、医療機器操作及び器具種類データ入力の少なくとも１つを含むことを特徴とする請求項５に記載の手術データ記録装置。
【請求項７】
手術データを記録し表示する方法であって、
少なくとも患者の生体データと医療機器からの出力データとを含む手術データを、所定の時間データに関連付けて記録装置に記録する手術データ記録ステップと、
所定のイベントの発生に応じて、前記所定の時間データに関連付けてイベントデータを記録するイベントデータ記録ステップと、
前記手術データを、前記所定の時間の経過に沿って表示装置に表示する手術データ表示ステップと、
前記所定のイベントの発生に応じて前記所定の時間データに関連付けて記録されたイベントデータの存在を示すイベントマークを、前記所定の時間の経過と合わせて前記表示装置に表示するイベントマーク表示ステップと、
を有することを特徴とする手術データ記録表示方法。
【発明の詳細な説明】
【技術分野】
【０００１】
本発明は、手術データ記録装置、手術データ表示装置及び手術データ記録表示方法に関し、特に、手術データの解析を容易にする手術データ記録装置、手術データ表示装置及び手術データ記録表示方法に関する。
【背景技術】
【０００２】
従来より、手術時における、患者の脈拍、血圧等の生体データ、手術に用いられる電気メス等の医療機器データ等の手術データが記録されている。手術データを記録する目的は、術後に患者の容態に変化があったとき等、術後に、例えば術者が手術内容を確認する必要が生じた場合等に備えておくためである。そのような必要が生じた場合に、記録された手術時の各種データを表示装置に表示させて観ることによって、術者は、術後に手術時の手術内容を確認することができる。
【０００３】
このような手術時のデータを記録する技術としては、特開２００２−２３３５３５号公報に記載のものがある。
【特許文献１】特開２００２−２３３５３５号公報
【発明の開示】
【発明が解決しようとする課題】
【０００４】
しかし、術後、術者がそのような記録された手術データを表示装置に表示させながら、手術内容を確認しようとしても、記録された手術データは、単に時系列的に記録されたデータであるため、各データを時間経過に沿って観なければならず、手術内容を確認するこためには時間も掛かる。特に、手術時間が長いと、術後に記録された手術データを解析し、手術内容を判断する時間も長時間に亘ってしまうという問題があった。
【０００５】
そこで、本発明は、手術内容の確認を容易にする手術データ記録装置を提供することを目的とする。
【課題を解決するための手段】
【０００６】
本発明の手術データ記録装置は、手術データを、所定の時間に関連付けて記録装置に記録する手術データ記録手段と、所定のイベントの発生に応じて、前記所定の時間に関連付けてイベントデータを記録するイベントデータ記録手段とを有する。
【発明の効果】
【０００７】
本発明の手術データ記録装置によれば、手術内容の確認を容易に行うことができる。
【発明を実施するための最良の形態】
【０００８】
以下、図面を参照して本発明の実施の形態を説明する。  
まず、手術室に配置される医療システムである内視鏡手術システムの全体構成を説明する。図１は、本実施の形態に係わる手術システムの構成を示す構成図である。
【０００９】
図１に示すように、手術室２内には、患者４８が横たわる患者ベッド１０と、内視鏡手術システム３が配置される。この内視鏡手術システム３は、第１カート１１及び第２カート１２を有している。
【００１０】
第１カート１１には、被制御装置である医療機器として例えば電気メス装置１３、気腹装置１４、内視鏡用カメラ装置１５、光源装置１６及びビデオテープレコーダ（ＶＴＲ）１７等の装置類と、二酸化炭素等を充填したガスボンベ１８が載置されている。内視鏡用カメラ装置１５は、カメラケーブル３１ａを介して第１の内視鏡３１に接続される。光源装置１６は、ライトガイドケーブル３１ｂを介して第１の内視鏡３１に接続される。
【００１１】
また、第１カート１１には、表示装置１９、第１の集中表示パネル２０、操作パネル２１等が載置されている。表示装置１９は、内視鏡画像等を表示する、例えばＴＶモニタである。
【００１２】
集中表示パネル２０は、手術中のあらゆるデータを選択的に表示させることが可能な表示手段となっている。操作パネル２１は、例えば液晶ディスプレイ等の表示部とこの表示部上に一体的に設けられた例えばタッチパネルにより構成され、非滅菌域にいる看護師等が操作する集中操作装置になっている。
【００１３】
更に、第１カート１１には、制御装置であるシステムコントローラ２２が載置されている。このシステムコントローラ２２には、上述の電気メス装置１３と気腹装置１４と内視鏡用カメラ装置１５と光源装置１６とＶＴＲ１７とが、図示しない通信線を介して接続されている。システムコントローラ２２には、ヘッドセット型のマイク３３が接続できるようになっており、さらにシステムコントローラ２２は音声認識機能を有し、マイク３３から入力された音声を認識し、術者の音声により各機器を制御できるようになっている。
【００１４】
システムコントローラ２２は、各種データを記録するための記録装置、ここではハードディスク装置（以下、ＨＤＤという）２２ａを内蔵している。ＨＤＤ２２ａには、後述するように、システムコントローラ２２の制御下、患者の生体データ、電気メス装置等の手術機器データと併せて、イベントデータが記録される。後述するように、システムコントローラ２２は、手術データを、手術の経過時間に関連付けてＨＤＤ２２ａに記録する手術データ記録装置である。
【００１５】
一方、前記第２カート１２には、被制御装置である内視鏡用カメラ装置２３、光源装置２４、画像処理装置２５、表示装置２６及び第２の集中表示パネル２７とが載置されている。  
内視鏡用カメラ装置２３は、カメラケーブル３２ａを介して第２の内視鏡３２に接続される。光源装置２４はライトガイドケーブル３２ｂを介して第２の内視鏡３２に接続される。
【００１６】
表示装置２６は、内視鏡用カメラ装置２３でとらえた内視鏡画像等を表示する。第２の集中表示パネル２７は、手術中のあらゆるデータを選択的に表示させることが可能になっている。
【００１７】
これら内視鏡用カメラ装置２３と光源装置２４と画像処理装置２５とは、第２カート１２に載置された中継ユニット２８に図示しない通信線を介して接続されている。そして、この中継ユニット２８は、中継ケーブル２９によって、上述の第１カート１１に搭載されているシステムコントローラ２２に接続されている。
【００１８】
したがって、システムコントローラ２２は、これらの第２カート１２に搭載されているカメラ装置２３、光源装置２４及び画像処理装置２５と、第１カート１１に搭載されている電気メス装置１３、気腹装置１４、カメラ装置１５、光源装置１６及びＶＴＲ１７とを集中制御するようになっている。このため、システムコントローラ２２とこれらの装置との間で通信が行われている場合、システムコントローラ２２は、上述の操作パネル２１の液晶ディスプレイ上に、接続されている装置の設定状態や操作スイッチ等の設定画面を表示できるようになっている。さらに、システムコントローラ２２は、操作パネル２１の所望の操作スイッチが触れられて所定領域のタッチパネルが操作されることによって設定値の変更等の操作入力が行えるようになっている。
【００１９】
リモートコントローラ３０は、滅菌域にいる執刀医等が操作する第２集中操作装置であり、通信が成立している他の装置を、システムコントローラ２２を介して操作することができるようになっている。
【００２０】
このシステムコントローラ２２は、ケーブル９により患者モニタシステム４に接続されており、後述するように、患者モニタシステム４から取得した生体情報をＨＤＤ２２ａに記録し、さらに解析し、この解析結果を所要の表示装置１９に表示させることができる。
【００２１】
また、システムコントローラ２２には、個体認識・個体識別素子、例えばＲＦＩＤ（Radio Frequency Identification：無線周波数による非接触自動識別）の受信装置５がケーブル６を介して接続されており、システムコントローラ２２は、内視鏡、処置具等の機器に設けられたＲＦＩＤタグからの内視鏡、処置具等の器具の種類等を示すデータを、非接触で読み取ることができる。
【００２２】
さらにまた、システムコントローラ２２には、通信手段である赤外線通信ポート（図示せず）が取り付けられている。この赤外線通信ポートは、表示装置１９の近傍等の赤外線が照射しやすい位置に設けられ、システムコントローラ２２との間がケーブルで接続されている。
【００２３】
以上のような構成に係る内視鏡手術システム３において、ＨＤＤ２２ａに記録される各種手術データは、手術の開始から終了まで時系列的に記録される。すなわち、システムコントローラ２２は、手術開始後、患者モニタシステム４から入力される患者の生体データ、及び同様に入力される手術関連機器のデータを、手術データとしてＨＤＤ２２ａに記録する。このとき、手術データは、手術開始時からの経過時間等の所定の時間データに関連付けて記録される。具体的には、生体データとして、脈拍、血圧等のデータが時間データと共にＨＤＤ２２ａに記録され、さらに、手術関連機器のデータとして、電気メス装置１３等の医療機器からのデータ、受信装置５、ＶＴＲ１７等の周辺装置からのデータも、ＨＤＤ２２ａに記録される。  
なお、時間データは、手術開始時をゼロとして、その開始後からの経過時間を示すデータでもよいし、あるいは、そのときの日時を表すいわゆる日本の標準時間のデータでもよい。
【００２４】
そして、この手術データの記録と共に、本実施の形態に係わる各種イベントのデータも記録される。  
図２は、手術データの記録と同時に実行されるイベントデータ記録処理のフローチャートである。図２のフローチャートの処理は、手術開始後手術データの記録が開始されると、併せてシステムコントローラ２２において実行され、イベントデータもＨＤＤ２２ａに記録される。なお、システムコントローラ２２は、中央処理装置（ＣＰＵ）、ＲＯＭ、ＲＡＭ等を搭載しており、所定のソフトウエアプログラムが記憶されている。よって、システムコントローラ２２は、そのプログラムを実行することにより、後述する各種処理を行うことができる。従って、システムコントローラ２２は、そのようなプログラムによって実現される、手術データ記録手段とイベントデータ記録手段とを有する。
【００２５】
まず、システムコントローラ２２は、所定のイベントの有無を判断する（ステップＳ１）。この判断は、システムコントローラ２２に入力されるデータに基づいて行われる。システムコントローラ２２に入力されるデータには、マイク３３からの音声データ、電気メス装置１３等からの出力データ、内視鏡３１等の操作部への操作データ、ＲＦＩＤの受信装置５からのデータ、等々がある。
【００２６】
ステップＳ１においてＹＥＳの場合、すなわち所定のイベントが有りと判断された場合は、システムコントローラ２２は、手術データと同じ所定の時間データに関連付けて、そのイベントに対応するマークデータをＨＤＤ２２ａのイベントデータテーブル（後述）に記録する。なお、ステップＳ１においてＮＯの場合、すなわち所定のイベントが有りと判断されなかった場合は、システムコントローラ２２は、図２の処理では何もしない。ステップＳ１とＳ２は、イベントデータ記録手段を構成する。なお、本実施の形態では、イベントデータは手術データが記録されるＨＤＤ２２ａに記録されるが、システムコントローラ２２が、ＨＤＤ２２ａとは別の他の記録装置に、イベントデータを記録するようにしてもよい。
【００２７】
次に、イベント有りの判断とマークデータの記録について、詳述する。  
まず、イベント有りと判断されるイベントの内容あるいは種類は、予め決められており、そのイベント内容毎にイベントコードが設定されている。図３は、イベント内容とイベントコードの対応が設定されたイベントコードデータテーブルの例を示す図である。図３に示すように、イベントコード記憶部としてのイベントコードデータテーブル６１には、各イベント内容６２に応じて、イベントコード６３が予め設定されている。
【００２８】
システムコントローラ２２は、上述したように各種データが入力されているので、入力されたデータに基づいて、所定のイベントが発生したか否かの判断を行う。例えば、システムコントローラ２２は、マイク３３からの入力された音声データに基づいてイベントの有無を判断することもできるし、電気メス装置１３等からの出力データに基づいてイベントの有無を判断することもできる。
【００２９】
音声データに基づく音声記録指示のイベントの有無が判断される場合について説明する。これは、術者が、手術の内容、経過等を音声で記録しておき、術後にその記録内容を確認したい、カルテへの展開をしたい等の場合があるためである。  
システムコントローラ２２は、手術開始後、音声認識機能により、マイク３３に入力される音声データを常時解析し、音声記録の指示等のイベントの有無を判断する。例えば、「音声記録」、「ディクテーション」等の音声データを音声記録開始の指示データとして予め登録しておき、その音声データが音声認識機能により認識されると、システムコントローラ２２は、音声記録の指示というイベント有りと判断する。
【００３０】
そして、音声記録開始の指示がありと判断された場合は、システムコントローラ２２は、その後マイク３３に入力される音声を音声データとして記録すると共に、音声記録指示というイベントがあったことを示すイベントデータを、その音声記録指示のあった時の時間データと共にＨＤＤ２２ａのイベントデータテーブルに記録する。この時間データは、手術データの時間データと同じデータであり、例えば、音声記録指示のあった時の、手術開始からの経過時間である。
【００３１】
図４は、イベントデータ記録部としてのイベントデータテーブルの例を示す図である。図４に示すように、イベントデータテーブル７１は、イベント内容データ７２とイベント発生時間データ７３を含む。
【００３２】
従って、システムコントローラ２２は、図２の処理において、イベント有りと判断すると、例えば音声記録の指示というイベントがあったと判断すると、ＨＤＤ２２ａ内の所定の記憶領域に音声データを記録し、さらに、イベントコードデータテーブル６１を参照して、ＨＤＤ２２ａ内のイベントデータテーブル７１にイベント内容を示すデータ、例えば音声記録指示に対応したイベントコードと、そのイベントの発生時間のデータを記録する。  
なお、音声データは、予め決められた時間だけ記録されるようにしてもよいし、音声記録終了の指示データを予め登録しておくことによって、その記録終了の指示データ、例えば「音声記録終了」等の音声データが音声認識処理により認識されると、音声の記録が終了されるようにしてもよい。
【００３３】
従って、システムコントローラ２２は、イベント有りと判断すると、イベントコードデータテーブル６１を参照し、発生したイベントのイベントコードを読み出して、イベントデータテーブル７１にイベントコードと発生時間のデータを記録する。
【００３４】
次に、医療機器からの出力データに基づいてイベントの有無が判断される場合について説明する。これは、術者が、術後、手術データを解析する場合に、医療機器からの出力の有無により、生体データ等の変化等の意味を判断する場合に有効なためである。  
システムコントローラ２２は、手術開始後、電気メス装置１３等の医療機器からの所定の出力データを常時監視し、イベントの有無を判断する。具体的には、例えば、術者が電気メスを操作して電気メス装置１３の出力を指示すると電気メス装置１３は、電気メスの出力を行うが、電気メス装置１３は、同時にその出力がされていること示すデータを、システムコントローラ２２に出力している。従って、システムコントローラ２２に、所定のイベントとして電気メス出力を予め登録しておくことによって、システムコントローラ２２は、電気メス装置１３からの出力データに基づいて、そのイベントの有無を判断することができる。
【００３５】
また、手術中に内視鏡画像は、内視鏡の操作部に設けられた所定のレリーズ釦が術者により押されることによって、静止画として記録されるが、そのようなレリーズ釦が押されることによる静止画記録をイベントとすることもできる。これは、術者が、術後、患者のカルテに静止画データを含めたい場合等に有効なためである。従って、そのような所定のレリーズ釦が押されたこと、すなわち内視鏡の静止画記録の指示を所定のイベントとして、システムコントローラ２２に予め登録しておくと、内視鏡の操作部の静止画撮影釦が押されたことを示すデータが入力されると、システムコントローラ２２は、そのイベント有りの判断をすることができる。
【００３６】
さらに、医療機器、周辺機器等からの特定の出力データとして、手術関連機器の故障があったときのエラー出力、周辺機器の各種状態出力、例えば、故障、ＶＴＲのテープの終了等の状態出力を、システムコントローラ２２に所定のイベントとして予め登録しておくことによって、エラー出力等をイベントとして認識させることができる。これも、術者が、術後、手術データを解析する場合に、手術関連機器の故障の有無により、生体データ等の変化等の意味を判断する場合に有効なためである。
【００３７】
さらにまた、内視鏡、処置具等の器具の種類等を示すデータの入力をイベントとして、システムコントローラ２２に予め登録しておくと、術者が、使用する内視鏡、処置具等の機器に設けられた個体認識・個体識別素子、例えばＲＦＩＤタグをＲＦＩＤの受信装置５に接近させると、内視鏡等の種類を示すデータが読みとられ、システムコントローラ２２は、内視鏡等の種類等を示す器具種類データの入力があったという所定のイベントを認識することができる。これは、術者が、手術において使用した機器の記録をとる場合等に有効である。従って、術者が手術中に使用した内視鏡、処置具等を、イベントデータとして記録させることができる。
【００３８】
なお、上述した音声記録の指示の有無の判断は、術者がリモートコントローラ３０の所定の操作ボタンを操作する、あるいは術者の指示による看護師等が操作パネル２１を操作することによって、音声認識処理技術を用いないで行うようにしてもよい。
【００３９】
さらにまた、システムコントローラ２２は、手術関連機器から入力される各種データの有無に基づくだけでなく、各種データに対して所定の処理を行うことによりイベント有りと判断するようにしてもよい。例えば、気腹装置１４からの体腔内の圧力データを監視し、システムコントローラ２２は、予め設定された設定圧とその監視された圧力データを比較する処理を行い、その設定圧よりも圧力データが高いと判断されたときに、イベント有りという判断を行うようにすることもできる。
【００４０】
以上のように、システムコントローラ２２は、手術の開始から終了まで、各種手術データをＨＤＤ２２ａに記録すると共に、手術中において所定のイベントが発生するとＨＤＤ２２ａにイベントの内容を時間データと共に記録する。
【００４１】
次に、術後に手術時の手術内容を確認する場合に、このように記録された手術データとイベントデータがどのように利用されるかを説明する。  
図５は、手術データ表示装置の構成を示す構成図である。手術データ表示装置１０１は、パーソナルコンピュータ等のコンピュータである。手術データ表示装置１０１の本体１０２には、上述したシステムコントローラ２２のＨＤＤ２２ａに記録された手術データとイベントデータを、ネットワークを介するデータ転送等によって、外付けあるいは内蔵された記憶装置１０３に記憶させることができる。従って、記憶装置１０３の記憶領域には、手術データが記憶された手術データ部１０３ａと、イベントデータが記憶されたイベントデータ部１０３ｂが含まれる。イベントデータ部１０３ｂのデータは、図４のイベントデータテーブル７１と同じデータである。本体１０２には、データ入力装置としてキーボード１０４と、ポインティングデバイスとしてのマウス１０５が接続され、さらに、解析データである手術データが表示される画面を有する表示装置１０６も接続されている。
【００４２】
手術データの解析者、例えば術者は、キーボード１０４あるいはマウス１０５を操作して、画面上に表示させたい手術データと時間範囲を指定することによって、記憶装置１０３に記憶された手術データを表示装置１０６の画面上に、例えばグラフ化して表示させることができる。図６は、１つの手術データをグラフ化して表示させたときの第１の表示例を示す図である。図６において、グラフＧ１がそのグラフを示す。グラフＧ１で示される手術データの時間経過に伴って変化する様子が示され、かつ、グラフＧ１の時間の経過と合わせて、イベントの有無が画面上のグラフＧ１の近傍に表示される。なお、図６では、説明の簡単のために、１つの手術データのグラフＧ１のみが示されているが、解析者が表示データとして複数の手術データを指定すれば、複数のグラフが、時間軸を併せて並べて表示される。図６では、手術データ及びイベントデータは、詳述した所定の時間の時間経過に沿って表示されるので、解析者は、手術データ及びイベントデータの、時間経過に伴って変化及び発生した様子を観ることができる。
【００４３】
また、記憶装置１０２のイベントデータ部１０３ｂには、イベントデータが記憶されている。上述したように、図４に示すように、イベントデータには、イベントの内容と、イベントの発生した時間データが含まれる。従って、解析者は、画面上に表示させたい手術データと時間範囲を指定すると、手術データのグラフＧ１と併せてイベントの発生と発生時点が容易にわかるように表示される。図６において、イベントの発生を示す、あるいはイベントデータの存在を示すマーク（図６では黒い点のマーク）ＥＶが、画面上に表示される。グラフＧ１がそのグラフを示す。マークＥＶ１の画面上の横軸方向における位置は、グラフＧ１の時間軸に沿って、手術データの時間と対応する位置である。なお、図６では、イベントの発生した時間に対応した位置に、イベントデータの存在だけを示すマークが示されている。
【００４４】
図７は、その手術データとイベントデータを表示装置１０６の画面上にグラフ表示させるときの処理の流れの例を示すフローチャートである。  
解析者は、表示装置１０６に、手術データをグラフ化して表示させるコマンドをキーボード１０４等を用いて、手術データ表示装置１０１に入力する。このとき、そのコマンドには、グラフ表示させたい手術データと、グラフ表示させたい時間範囲が含まれる。そのコマンドの入力があると、図７の処理が実行される。
【００４５】
まず、手術データ表示装置１０１は、表示指示であるコマンドに対応する手術データを、記憶装置１０３の手術データ部１０３ａから読み出す（ステップＳ１１）。次に、読み出された手術データの、指定された時間範囲に含まれる時間を有するイベントデータを検索する（Ｓ１２）。この検索は、イベントデータ部１０３ｂ中のイベントの発生時間データに記録されている各時間データが、その時間範囲内に含まれるか否かをチェックすることによって行われる。
【００４６】
そして、手術データ表示装置１０１は、読み出された手術データと検索して得られたイベントデータを合成して、時系列データとして、表示装置１０６の画面上に表示する（Ｓ１３）。その表示は、図６に示すように、手術データのグラフＧ１とそのグラフの時間軸上の時間にイベントの発生時間を合わせてイベントを示す所定のマークＥＶ１とを合成するようにして行われる。ステップ１３が、手術データ表示手段とイベントマーク表示手段を構成する。
【００４７】
なお、図６では、表示装置１０６の画面上には、上述したように、解析者によって指定された表示すべき手術データのグラフＧ１と、イベントデータの存在を示す黒い点のマークＥＶ１が、画面上に表示される。図６において、縦軸は、手術データの値に対応し、横軸は、手術開始からの経過時間に対応する。手術データとマークＥＶ１は、上述した所定の時間データに沿って時系列データとして表示される。従って、各マークＥＶ１の表示される位置（図６では横軸方向の位置）は、手術データの時間軸（図６では横軸）に沿って、各イベントの発生した時間に対応する。
【００４８】
例えば、イベントが医療機器のある出力を示す場合に、そのイベントの発生の後にその手術データが変化すれば、そのイベントの結果としてその手術データが変化したということが確認することができる。従って、解析者は、手術データの変化を、イベントの発生と対応させてみることができるので、手術内容の確認を容易に行うことができる。
【００４９】
なお、図６において、マークＥＶ１の位置は、グラフＧ１の近傍であるが、点線の矢印マークＥＶ２で示すように、グラフＧ１から離れた、画面上の所定の位置でもよい。
【００５０】
また、イベントデータ部１０３ｂには、イベントの内容を示すデータも含まれているので、マークをイベントの内容に応じたマークにして、グラフ上に表示させるようにしてもよい。  
図８は、イベントの内容に対応するマークを予め設定しておくためのマークデータテーブルの例を示す図である。図８に示すように、イベントマークデータ部としてのマークデータテーブル８１は、イベント内容データ８２とマークデータ８３を含む。なお、マークデータ８３は、図８においては、絵で示しているが、データとしては対応する絵を示すコードデータである。
【００５１】
従って、システムコントローラ２２は、図７のステップＳ１３の処理において、マークを手術データに合成するときに、マークデータテーブル８１を参照して、表示すべきイベントに対応して予め設定されたマークデータを読み出し、そのマークデータに基づいて、各イベントのマークを生成して表示する。
【００５２】
図９は、手術データをグラフ化して表示させたときの第２の表示例を示す図である。図９に示すように、手術データのグラフと共に表示されるマークは、イベントの内容に対応したものである。図９において、マークＥＶ２１は、音声記録指示のイベントを示し、マークＥＶ２２は、静止画記録のイベントを示し、マークＥＶ２３は、機器エラーのイベントを示している。各マークは、図８のマークデータテーブル８１のイベントコード８２に対応するマークである。
【００５３】
図６の表示例では、イベントの有ることだけが表示されていたが、図９の表示例では、解析者は、表示装置１０６に表示されたマークによって、イベントの内容を理解することができる。
【００５４】
図１０は、手術データをグラフ化して表示させたときの第３の表示例を示す図である。図１０に示すように、手術データのグラフＧ２と共に表示されるマークＥＶ３は、イベントの内容を示す文字を含むように表示されている。図１０では「自動排煙」の文字を含む吹き出し表示である。
【００５５】
図１１は、手術データをグラフ化して表示させたときの第４の表示例を示す図である。図１１に示すように、手術データＧ３のグラフと共に表示されるマークは、音声記録に対応したマークのみである。これは、解析者が、キーボード１０４等を用いて、手術データをグラフ化して表示させるコマンドを手術データ表示装置１０１に入力するときに、グラフ表示させたい手術データと、時間範囲と、さらに、表示させたいイベント、ここでは、音声記録指示のイベントのみを抽出するコマンドを指定する。そのコマンドの入力があると、図７の処理が実行されるが、ステップＳ１２において音声記録指示のイベントのみが検索される。
【００５６】
その結果、図１１に示す手術データが表示される。図１１において、手術データのグラフＧ３と共に表示されるマークは、音声記録のイベントのマークである。図１１において、マークＥＶ４１、ＥＶ４２は、音声記録のイベントを示す。従って、解析者は、術後に、音声記録を行った時の前後の手術データだけを確認することができる。
【００５７】
なお、図１１の表示おいて、例えば、イベントマークＥＶ４１あるいは４２の部分を、マウス１０５を操作してカーソルを移動し、かつマウス１０５の釦スイッチを操作、例えばダブルクリックすることによって、イベントマークＥＶ４１あるいは４２に対応する音声データの再生をするようにしてもよい。また、図１１において、イベントマークが、機器エラーのマークであれば、そのマークをダブルクリックすることによって、機器エラーの詳細を表示するようにしてもよい。
【００５８】
図１２は、手術データをグラフ化して表示させたときの第５の表示例を示す図である。図１２に示すように、手術データとイベントマークＥＶ５は、時系列データとして、表形式のデータ９１により表示されている。図１２において、手術データは、所定の時間間隔で、手術データ欄９２に表示され、イベントのあった手術データに対応するマーク欄９３に、そのイベントの内容に対応したイベントマークＥＶ５が表示される。なお、イベントのなかったときには、手術データに対応するマークの欄には何も表示されないか、あるいはイベントの無いことを示す、例えば「−」等のマークが表示される。
【００５９】
なお、図１２において、マーク欄９３に代えて、イベント内容欄として、イベントの内容をテキストでイベント内容欄に表示するようにしてもよい。  
また、図１２のような表形式の場合、マーク欄（あるいはイベント内容欄）９３に表示されるマーク（あるいはテキスト）を、検索し、あるいはソートすることができる。従って、特定のイベントのみを検索し、あるいは連続表示させることができるという効果がある。
【００６０】
さらになお、図１２の場合も、イベントマークＥＶ５の部分を、マウス１０５を操作してカーソルを移動し、かつマウス１０５の釦スイッチを操作、例えばダブルクリックすることによって、イベントマークＥＶ５に対応する音声データを再生したり、静止画を表示したり、あるいはイベントの内容を詳細に表示するようにしてもよい。
【００６１】
以上のように、本実施の形態によれば、システムコントローラは、各種イベントを手術データの時間に対応させて記録するので、手術データ表示装置において、イベントの有無を、あるいはイベントの有無とその内容を、手術データと対応させることができる。従って、手術データ表示装置において手術データとイベントマークとを対応させて表示させることができるので、術者等の解析者は、手術内容を容易に確認することができる。
【００６２】
なお、上述したように、本発明において、マークとは、イベントの発生を示すあるいはイベントデータの存在を示す簡単な印（例えば図６）だけを意味するものでなく、イベントの発生等を示すだけでなく、イベントの内容を示す印、記号、絵文字（例えば図９と図１１）等をも含み、さらに、イベントの内容を示す文字を含む絵文字（例えば図１０）、あるいは文字のみをも含む。
【００６３】
本発明は、上述した実施の形態に限定されるものではなく、本発明の要旨を変えない範囲において、種々の変更、改変等が可能である。
【図面の簡単な説明】
【００６４】
【図１】本発明の実施の形態に係わる手術システムの構成を示す構成図である。
【図２】本発明の実施の形態に係わるイベントデータ記録処理のフローチャートである。
【図３】本発明の実施の形態に係わるイベント内容とイベントコードの対応が設定されたイベントコードデータテーブルの例を示す図である。
【図４】本発明の実施の形態に係わるイベントデータテーブルの例を示す図である。
【図５】本発明の実施の形態に係わる手術データ表示装置の構成を示す構成図である。
【図６】１つの手術データをグラフ化して表示させたときの第１の表示例を示す図である。
【図７】手術データとイベントデータを表示装置の画面上にグラフ表示させるときの処理の流れの例を示すフローチャートである
【図８】イベントの内容に対応するマークを予め設定しておくためのマークデータテーブルの例を示す図である。
【図９】手術データをグラフ化して表示させたときの第２の表示例を示す図である。
【図１０】手術データをグラフ化して表示させたときの第３の表示例を示す図である。
【図１１】手術データをグラフ化して表示させたときの第４の表示例を示す図である。
【図１２】手術データをグラフ化して表示させたときの第５の表示例を示す図である。
【符号の説明】
【００６５】
２  手術室、３  内視鏡手術システム、４  患者モニタシステム、５  ＲＦＩＤ受診装置、１３  電気メス装置、２２  システムコントローラ、２２ａ  記録装置、３１、３２  内視鏡、３３  マイク、４８  患者、６１  イベントコードデータテーブル、７１  イベントデータテーブル、８１  マークデータテーブル、１０１  手術データ表示装置、１０３ａ  手術データ部、１０３ｂ  イベントデータ部
代理人    弁理士    伊  藤    進
【図１】
2006223375.tif 000003
【図２】
2006223375.tif 000004
【図３】
2006223375.tif 000005
【図４】
2006223375.tif 000006
【図５】
2006223375.tif 000007
【図６】
2006223375.tif 000008
【図７】
2006223375.tif 000009
【図８】
2006223375.tif 000010
【図９】
2006223375.tif 000011
【図１０】
2006223375.tif 000012
【図１１】
2006223375.tif 000013
【図１２】
2006223375.tif 000014